(57)【要約】  【課題】      複数の音声識別装置を用いることを回避して、音声導通試験装置を容易に安価に構築すること。  【解決手段】  本発明の音声導通試験装置は、基地局シミュレータ１０１及び音声識別装置１０６を有する。基地局シミュレータ１０１は、携帯電話１０２との間で音声データの伝送及び音声データの秘匿処理を行う。また、音声識別装置１０６は、雑音または非音声を誤認識する音声認識方式を用いることによって、音声データの伝送状態及び秘匿処理状態を識別する。【選択図】      図１
2007013902.tif 000002
【特許請求の範囲】
【請求項１】
携帯電話との間で音声データの伝送及び前記音声データの秘匿処理を行うデータ通信装置と、
雑音または非音声を誤認識する音声認識方式を用いて、前記音声データの伝送状態及び秘匿処理状態を識別する音声識別装置と、
を具備することを特徴とする音声導通試験装置。
【請求項２】
前記データ通信装置は、
有音データ又は無音データの伝送及び秘匿処理を行い、
前記音声識別装置は、
前記秘匿処理状態の識別を前記無音データの伝送及び秘匿処理が行われているときに行い、前記伝送状態の識別を前記有音データの伝送及び秘匿処理が行われているときに行う、
ことを特徴とする請求項１記載の音声導通試験装置。
【請求項３】
前記音声識別装置は、
前記伝送状態及び前記秘匿処理状態の識別をそれぞれ複数回実施する、
ことを特徴とする請求項１記載の音声導通試験装置。
【発明の詳細な説明】
【技術分野】
【０００１】
本発明は、音声信号の伝送に伴って音声信号の秘匿処理（暗号化及び復号化）を行う装置に対して、自動化された音声導通試験を行う音声導通試験装置に関する。
【背景技術】
【０００２】
従来の音声導通試験装置としては、例えば、図５に示すように、携帯電話を試験対象通話装置として音声導通試験を行う音声導通試験装置がある。
【０００３】
図５の音声導通試験装置は、基地局シミュレータ１１、キー制御装置１３、パーソナルコンピュータ（以下「パソコン」と言う）１４、音声出力装置１５、音声識別装置１６及び音声識別装置１７を有する。なお、図５には、説明の簡略化のために、試験対象通話装置である携帯電話１２が接続された状態の音声導通試験装置が示されている。
【０００４】
基地局シミュレータ１１は、オーディオケーブル３２によって音声出力装置１５の音声出力端子２１に接続された音声入力端子１８と、オーディオケーブル２６によって音声識別装置１６の音声入力端子２７及び音声識別装置１７の音声入力端子２９に接続された音声出力端子１９と、ＲＦケーブル２２によって携帯電話１２の外部アンテナ端子２５に接続されたＲＦ端子２０と、を有する。基地局シミュレータ１１は、基地局システムを模擬する。基地局シミュレータ１１は、音声出力装置１５から出力されたレファレンス音声データを、音声入力端子１８を介して受信し、受信されたレファレンス音声データを暗号化して、暗号化された音声データ（以下「ＢＳ暗号化音声データ」と言う）を、ＲＦ端子２０を介して携帯電話１２に出力する。また、基地局シミュレータ１１は、携帯電話１２から出力された後述するＭＳ暗号化音声データを、ＲＦ端子２０を介して受信し、受信されたＭＳ暗号化音声データを復号し、復号された音声データ（以下「ＢＳ復号化音声データ」と言う）を、音声出力端子１９を介して音声識別装置１６、１７に出力する。
【０００５】
携帯電話１２は、オーディオケーブル３４によって音声出力端子３３に接続されたマイク端子２３と、オーディオケーブル３１によって音声識別装置１６の音声入力端子２８及び音声識別装置１７の音声入力端子３０に接続されたイヤホン端子２４と、ＲＦケーブル２２によってＲＦ端子２０に接続された外部アンテナ端子２５と、を有する。携帯電話１２は、レファレンス音声データを、マイク端子２３を介して受信し、受信されたレファレンス音声データを暗号化し、暗号化された音声データ（以下「ＭＳ暗号化音声データ」と言う）を、外部アンテナ端子２５を介して基地局シミュレータ１１に出力する。また、携帯電話１２は、基地局シミュレータ１１から出力されたＢＳ暗号化音声データを、外部アンテナ端子２５を介して受信し、受信されたＢＳ暗号化音声データを復号し、復号された音声データ（以下「ＭＳ復号化音声データ」と言う）を、イヤホン端子２４を介して音声識別装置１６、１７に出力する。
【０００６】
キー制御装置１３は、パソコン１４からの指示に従って携帯電話１２のキーを押すロボットフィンガーを有する。
【０００７】
パソコン１４は、基地局シミュレータ１１、携帯電話１２及びキー制御装置１３の各動作を制御するための指示を基地局シミュレータ１１、携帯電話１２及びキー制御装置１３に出力する。
【０００８】
音声出力装置１５は、オーディオケーブル３２及びオーディオケーブル３４によって音声入力端子１８及びマイク端子２３にそれぞれ接続された音声出力端子２１及び音声出力端子３３を有する。音声出力装置１５は、内部に予め記録してあるレファレンス音声データを、音声出力端子２１及び音声出力端子３３を介して基地局シミュレータ１１及び携帯電話１２にそれぞれ出力する。
【０００９】
音声識別装置１６は、オーディオケーブル２６によって音声出力端子１９に接続された音声入力端子２７と、オーディオケーブル３１によってイヤホン端子２４に接続された音声入力端子２８と、を有する。音声識別装置１６は、基地局シミュレータ１１及び携帯電話１２からそれぞれ出力されたＢＳ復号化音声データ及びＭＳ復号化音声データを、音声入力端子２７及び音声入力端子２８を介して受信し、受信されたＭＳ復号化音声データ及びＢＳ復号化音声データが秘匿処理失敗により異音になっているか否かを解析する。音声識別装置１６は、例えばスペクトル解析機能を用いて各音声データの解析を行う。
【００１０】
音声識別装置１７は、オーディオケーブル２６によって音声出力端子１９に接続された音声入力端子２９と、オーディオケーブル３１によってイヤホン端子２４に接続された音声入力端子３０と、を有する。音声識別装置１７は、基地局シミュレータ１１及び携帯電話１２からそれぞれ出力されたＢＳ復号化音声データ及びＭＳ復号化音声データを、音声入力端子２９及び音声入力端子３０を介して受信し、受信されたＢＳ復号化音声データ及びＭＳ復号化音声データがレファレンス音声データと同様であるか否かを解析する。音声識別装置１７は、レファレンス音声データが例えばＤＴＭＦ（Dial Tone Multi Frequency）信号の組合せである場合は、ＤＴＭＦ判別機能を用いて各音声データの解析を行う。
【００１１】
次いで、上記構成を有する音声導通試験装置の動作について、図６に示すフロー図を用いて説明する。
【００１２】
まず、通話装置（すなわち、基地局シミュレータ１１及び携帯電話１２）に対して初期状態が設定される（Ｓ１）。初期状態は、基地局シミュレータ１１及び携帯電話１２が互いに通話する状態である。
【００１３】
そして、音声出力装置１５は、レファレンス音声データを通話装置に入力する（Ｓ２）。
【００１４】
次に、基地局シミュレータ１１は、ＢＳ復号化データを音声識別装置１６、１７に入力し、携帯電話１２は、ＭＳ復号化データを音声識別装置１６、１７に入力する（Ｓ３）。
【００１５】
次に、音声識別装置１６は、ＢＳ復号化データ及びＭＳ復号化データを解析して、レファレンス音声データが秘匿処理失敗により異音になっているか否かを検出する（Ｓ４）。
【００１６】
そこで、音声識別装置１６は、異音を検出した場合（Ｓ４：ＹＥＳ）、通話装置において音声データの秘匿処理が正常に行われていない（音声秘匿処理状態異常）と判断するとともに、通話装置間で音声データが伝送されているか否かは不明である（音声伝送状態不明）と判断する（Ｓ５）。
【００１７】
一方、音声識別装置１６が異音を検出しなかった場合（Ｓ４：ＮＯ）、音声識別装置１７は、ＢＳ復号化データ及びＭＳ復号化データを解析して、ＢＳ復号化データ及びＭＳ復号化データがレファレンス音声データと同様であるか否かを検出する（Ｓ６）。
【００１８】
そこで、音声識別装置１７は、ＢＳ復号化音声データ及びＭＳ復号化音声データがレファレンス音声データと同様であることを検出した場合（Ｓ６：ＹＥＳ）、音声秘匿処理状態は正常であり且つ音声伝送状態も正常である、すなわち、通話装置間の音声導通状態が正常であると判断する（Ｓ７）。
【００１９】
一方、音声識別装置１７は、ＢＳ復号化音声データ及びＭＳ復号化音声データがレファレンス音声データと同様でないことを検出した場合（Ｓ６：ＮＯ）、音声秘匿処理状態は正常であるが通話装置間で音声データが伝送されていない（音声伝送状態異常）と判断する（Ｓ８）。
【発明の開示】
【発明が解決しようとする課題】
【００２０】
しかしながら、上記従来の音声導通試験装置においては、音声秘匿処理状態を識別するための機能と音声伝送状態を識別するための機能とが互いに異なり、それぞれを実現するために２つの音声識別装置１６、１７が設けられている。このため、装置全体を容易に安価に構築することができないという問題があった。
【００２１】
本発明はかかる点に鑑みてなされたものであり、容易に安価に構築することができる音声導通試験装置を提供することを目的とする。
【課題を解決するための手段】
【００２２】
本発明の音声導通試験装置は、携帯電話との間で音声データの伝送及び前記音声データの秘匿処理を行うデータ通信装置と、雑音または非音声を誤認識する音声認識方式を用いて、前記音声データの伝送状態及び秘匿処理状態を識別する音声識別装置と、を具備する構成を採る。
【００２３】
この構成によれば、雑音または非音声を誤認識する音声認識方式を用いることによって、音声秘匿処理の失敗で異音となった音声データが入力された場合もレファレンス音声データが入力されたと誤認識するため、音声伝送状態及び音声秘匿処理状態を識別する音声識別装置を一つだけ用いて、音声導通試験装置を容易に安価に構築することができる。
【００２４】
本発明の音声導通試験装置は、上記構成において、前記データ通信装置は、有音データ又は無音データの伝送及び秘匿処理を行い、前記音声識別装置は、前記秘匿処理状態の識別を前記無音データの伝送及び秘匿処理が行われているときに行い、前記伝送状態の識別を前記有音データの伝送及び秘匿処理が行われているときに行う、構成を採る。
【００２５】
この構成によれば、無音データの伝送が行われているときに秘匿処理状態を識別するため、秘匿処理状態の識別のためにレファレンス音声データと異なる音声データを予め記録しないで済み、また、レファレンス音声データと違う音声データを出力するための制御を省略することができる。
【００２６】
本発明の音声導通試験装置は、上記構成において、前記音声識別装置は、前記伝送状態及び前記秘匿処理状態の識別をそれぞれ複数回実施する、構成を採る。
【００２７】
この構成によれば、前記伝送状態および前記秘匿処理状態の識別を複数回実施するため、音声認識の誤認識確率を改善し、音声導通評価の精度を向上させることができる。
【発明の効果】
【００２８】
本発明によれば、音声導通試験装置を容易に安価に構築することができる。
【発明を実施するための最良の形態】
【００２９】
本発明の骨子は、雑音または非音声を誤認識する音声認識方式を用いることによって、一つの音声識別装置で音声データの伝送状態及び秘匿処理状態を識別することである。
【００３０】
以下、本発明の実施の形態について、図面を用いて詳細に説明する。
【００３１】
（実施の形態１）
図１は、本発明の実施の形態１に係る音声導通試験装置を示す構成図である。図１に示す音声導通試験装置は、データ通信装置としての基地局シミュレータ１０１、キー制御装置１０３、パソコン１０４、音声出力装置１０５及び音声識別装置１０６を有する。なお、データ通信装置として実際の基地局を用いることもできる。また、図１には、説明の簡略化のために、試験対象の携帯電話１０２が接続された状態の音声導通試験装置が示されている。
【００３２】
基地局シミュレータ１０１は、オーディオケーブル１１１によって音声出力装置１０５の音声出力端子１１０に接続された音声入力端子１０７と、オーディオケーブル１１４によって音声識別装置１０６の音声入力端子１１５に接続された音声出力端子１０８と、ＲＦケーブル１１２によって携帯電話１０２の外部アンテナ端子１１３に接続されたＲＦ端子１０９と、を有する。基地局シミュレータ１０１は、基地局システムを模擬する。基地局シミュレータ１０１は、音声出力装置１０５から出力された音声データ（以下「出力音声データ」と言う）を、音声入力端子１０７を介して受信し、受信された出力音声データを暗号化して、暗号化された音声データ（以下「ＢＳ暗号化音声データ」と言う）を、ＲＦ端子１０９を介して携帯電話１０２に出力する。また、基地局シミュレータ１０１は、携帯電話１０２から出力された後述するＭＳ暗号化音声データを、ＲＦ端子１０９を介して受信し、受信されたＭＳ暗号化音声データを復号し、復号された音声データ（以下「ＢＳ復号化音声データ」と言う）を、音声出力端子１０８を介して音声識別装置１０６に出力する。
【００３３】
携帯電話１０２は、オーディオケーブル１２１によって音声出力端子１２０に接続されたマイク端子１１６と、オーディオケーブル１１８によって音声識別装置１０６の音声入力端子１１９に接続されたイヤホン端子１１７と、ＲＦケーブル１１２によってＲＦ端子１０９に接続された外部アンテナ端子１１３と、を有する。携帯電話１０２は、出力音声データを、マイク端子１１６を介して受信し、受信された出力音声データを暗号化し、暗号化された音声データ（以下「ＭＳ暗号化音声データ」と言う）を、外部アンテナ端子１１３を介して基地局シミュレータ１０１に出力する。また、携帯電話１０２は、ＢＳ暗号化音声データを、外部アンテナ端子１１３を介して受信し、受信されたＢＳ暗号化音声データを復号し、復号された音声データ（以下「ＭＳ復号化音声データ」と言う）を、イヤホン端子１１７を介して音声識別装置１０６に出力する。
【００３４】
キー制御装置１０３は、パソコン１０４からの指示に従って携帯電話１０２のキーを押すロボットフィンガーを有する。
【００３５】
パソコン１０４は、基地局シミュレータ１０１、携帯電話１０２及びキー制御装置１０３の各動作を制御するための指示を基地局シミュレータ１０１、携帯電話１０２及びキー制御装置１０３に出力する。
【００３６】
音声出力装置１０５は、オーディオケーブル１１１及びオーディオケーブル１２１によって音声入力端子１０７及びマイク端子１１６にそれぞれ接続された音声出力端子１１０及び音声出力端子１２０を有する。また、音声出力装置１０５は、メモリ部（図示せず）を有する。メモリ部には、レファレンス音声データ及びレファレンス音声データと異なる非レファレンス音声データが予め記録されている。音声出力装置１０５は、メモリ部に記録してあるレファレンス音声データ又は非レファレンス音声データを出力音声データとして音声出力端子１１０及び音声出力端子１２０から基地局シミュレータ１０１及び携帯電話１０２にそれぞれ出力する。
【００３７】
音声識別装置１０６は、オーディオケーブル１１４によって音声出力端子１０８に接続された音声入力端子１１５と、オーディオケーブル１１８によってイヤホン端子１１７に接続された音声入力端子１１９と、を有する。音声識別装置１０６は、ＢＳ復号化音声データ及びＭＳ復号化音声データが、秘匿処理失敗により異音になっているか否かを、特定値以上の確率で雑音または非音声を誤認識する音声認識方式を用いて解析する。
【００３８】
また、音声識別装置１０６は、ＢＳ復号化音声データ及びＭＳ復号化音声データが、レファレンス音声データと同様であるか否かを、解析する。
【００３９】
次いで、上記構成を有する音声導通試験装置の動作について、図２に示すフロー図を用いて説明する。
【００４０】
まず、通話装置（すなわち、基地局シミュレータ１０１及び携帯電話１０２）に対して初期状態が設定される（Ｓ１０１０）。初期状態は、基地局シミュレータ１０１及び携帯電話１０２が互いに通話する状態である。
【００４１】
そして、ＢＳ復号化音声データ及びＭＳ復号化音声データが音声識別装置１０６に入力できるように、音声識別装置１０６の状態が設定される（Ｓ１０２０）。
【００４２】
次に、音声出力装置１０５は、非レファレンス音声データを、通話装置にＸ回（Ｘは２以上の整数）入力する（Ｓ１０３０）。
【００４３】
次に、音声識別装置１０６は、音声出力装置１０５から出力された非レファレンス音声データに対して秘匿処理が施されることによって得られたＢＳ復号化音声データ及びＭＳ復号化音声データを、前述した音声認識方式を用いて解析する。これにより、音声識別装置１０６は、非レファレンス音声データが秘匿処理失敗で異音になっているか否かをＸ回判定する（Ｓ１０４０）。この判定処理をＸ回行うことにより、誤認識確率を改善することができ、音声導通試験の精度を向上させることができる。
【００４４】
そこで、音声識別装置１０６は、Ｘ回のうちたとえばｍ回以上（ｍは１以上Ｘ以下の整数）レファレンス音声データを検出した場合（Ｓ１０４０：ＹＥＳ）、換言すれば、ＢＳ復号化音声データ又はＭＳ復号化音声データがレファレンス音声データと同様であった場合、通話装置において秘匿処理が正常に行われていない（音声秘匿処理状態異常）と判断するとともに、通話装置間で音声データが伝送されているか否かは不明である（音声伝送状態不明）と判断する（Ｓ１０５０）。
【００４５】
一方、音声識別装置１０６がＸ回のうちｍ回以上レファレンス音声データを検出できなかった場合（Ｓ１０４０：ＮＯ）、換言すれば、ＢＳ復号化音声データ及びＭＳ復号化音声データがレファレンス音声データと同様でなかった場合、音声出力装置１０５は、レファレンス音声データを通話装置にＹ回（Ｙは２以上の整数）入力する（Ｓ１０６０）。
【００４６】
次に、音声識別装置１０６は、音声出力装置１０５から出力されたレファレンス音声データに対して秘匿処理が施されることによって得られたＢＳ復号化音声データ及びＭＳ復号化音声データを解析する。この解析において、音声識別装置１０６は、ＢＳ復号化音声データ及びＭＳ復号化音声データがレファレンス音声データと同様であるか否かをＹ回判定する（Ｓ１０７０）。この判定処理をＹ回行うことにより、誤認識確率を改善することができ、音声導通試験の精度を向上させることができる。
【００４７】
そこで、音声識別装置１０６は、ＢＳ復号化音声データ及びＭＳ復号化音声データがレファレンス音声データと同様であることをｎ回以上（ｎは１以上Ｙ以下の整数）検出した場合（Ｓ１０７０：ＹＥＳ）、音声秘匿処理状態は正常であり且つ音声伝送状態も正常である、すなわち、通話装置間の音声導通状態が正常であると判断する（Ｓ１０８０）。
【００４８】
一方、音声識別装置１０６は、Ｙ回のうちｎ回以上、ＢＳ復号化音声データ又はＭＳ復号化音声データがレファレンス音声データと同様であることを検出できなかった場合（Ｓ１０７０：ＮＯ）、音声秘匿処理状態は正常であるが通話装置間で音声データが正常に伝送されていない（音声伝送状態異常）と判断する（Ｓ１０９０）。
【００４９】
このように、本実施の形態によれば、雑音または非音声を誤認識する音声認識方式を用いることによって、音声秘匿処理の失敗で異音となった音声データが入力された場合もレファレンス音声データが入力されたと誤認識することを利用し、音声伝送状態及び音声秘匿処理状態を識別する音声識別装置を一つだけ用いて、音声導通試験装置を容易に安価に構築することができる。
【００５０】
（実施の形態２）
図３は、本実施の形態に係る音声の秘匿処理状態の識別を無音データの伝送が行われているときに行う音声導通試験装置の動作を示すフロー図である。なお、本実施の形態の音声導通試験装置の構成図については、実施の形態１で説明したもの（図１）と同様であるので省略する。また、本実施の形態で説明する構成要素及びステップのうち実施の形態１で説明したものについては、同一の参照番号を付し、その詳細な説明を省略する。
【００５１】
ステップＳ１０１０、Ｓ１０２０に続いて、ステップＳ２０３０では、音声出力装置１０５は、通話装置に何も入力しない。次に、音声識別装置１０６は、音声出力装置１０５から何も出力されていないときに秘匿処理が行われることによって得られたＢＳ復号化音声データ及びＭＳ復号化音声データ、すなわち無音データを、実施の形態１で説明した音声認識方式を用いて解析する。これによって、音声識別装置１０６は、無音データが秘匿処理失敗で異音になっているか否かをＹ回判定する（Ｓ２０４０）。この判定処理をＹ回行うことにより、誤認識確率を改善することができ、音声導通試験の精度を向上させることができる。
【００５２】
そこで、音声識別装置１０６は、Ｙ回のうちたとえばβ回以上（βは１以上Ｙ以下の整数）レファレンス音声データを検出した場合（Ｓ２０４０：ＹＥＳ）、ステップＳ１０５０に進む。
【００５３】
一方、音声識別装置１０６がＹ回のうちβ回以上レファレンス音声データを検出できなかった場合（Ｓ２０４０：ＮＯ）、音声出力装置１０５は、レファレンス音声データを通話装置にＸ回入力する（Ｓ２０６０）。
【００５４】
次に、音声識別装置１０６は、音声出力装置１０５から出力されたレファレンス音声データに対して秘匿処理が施されることによって得られたＢＳ復号化音声データ及びＭＳ復号化音声データを解析する。この解析において、音声識別装置１０６は、ＢＳ復号化音声データ及びＭＳ復号化音声データがレファレンス音声データと同様であるか否かをＸ回判定する（Ｓ２０７０）。この判定処理をＸ回行うことにより、誤認識確率を改善することができ、音声導通試験の精度を向上させることができる。
【００５５】
そこで、音声識別装置１０６は、ＢＳ復号化音声データ及びＭＳ復号化音声データがレファレンス音声データと同様であることをα回以上（αは１以上Ｘ以下の整数）検出した場合（Ｓ２０７０：ＹＥＳ）、ステップＳ１０８０に進む。
【００５６】
一方、音声識別装置１０６は、Ｘ回のうちα回以上、ＢＳ復号化音声データ又はＭＳ復号化音声データがレファレンス音声データと同様であることを検出できなかった場合（Ｓ２０７０：ＮＯ）、ステップＳ１０９０に進む。
【００５７】
このように、本実施の形態によれば、前記音声識別装置１０６は、音声秘匿処理状態の識別を無音データの伝送及び秘匿処理が行われているときに行い、音声伝送状態の識別を有音データの伝送及び秘匿処理が行われているときに行うため、実施の形態１のように音声出力装置１０５に非レファレンス音声データを予め記録しないで済み、また、非レファレンス音声データを出力するための制御を省略することができる。
【００５８】
（実施の形態３）
図４は、本発明の実施の形態３に係る音声導通試験装置を示す構成図である。なお、本実施の形態の音声導通試験装置は、実施の形態１で詳細に説明した音声導通試験装置と同様の基本的構成を有する。よって、実施の形態１で説明したものと同一の構成要素には同一の参照番号を付し、その詳細な説明を省略する。また、本実施の形態の音声導通試験装置の動作を示すフロー図については、実施の形態１及び実施の形態２で説明したものと同様であるので省略する。
【００５９】
図４に示す音声導通試験装置は、基地局シミュレータ１０１、キー制御装置１０３及びパソコン２０１を有する。なお、図４には、説明の簡略化のために、試験対象の携帯電話１０２が接続された状態の音声導通試験装置が示されている。
【００６０】
パソコン２０１は、実施の形態１で説明したパソコン１０４の機能のほかに実施の形態１で説明した音声出力装置１０５及び音声識別装置１０６の各機能を実現させる処理部を有する。
【００６１】
このように、本実施の形態によれば、パソコン２０１は、実施の形態１で説明したパソコン１０４、音声出力装置１０５及び音声識別装置１０６の各機能を実現させる処理部を有することによって、実施の形態１及び実施の形態２より音声導通試験装置を容易に安価に構築することができる。
【産業上の利用可能性】
【００６２】
本発明の音声導通試験装置は、携帯電話の開発に用いる音声導通試験装置として有用である。
【図面の簡単な説明】
【００６３】
【図１】本発明の実施の形態１に係る音声導通試験装置の構成を示すブロック図
【図２】本発明の実施の形態１に係る音声導通試験装置における動作を示すフロー図
【図３】本発明の実施の形態２に係る音声導通試験装置における動作を示すフロー図
【図４】本発明の実施の形態３に係る音声導通試験装置の構成を示すブロック図
【図５】従来の音声導通試験装置の構成を示すブロック図
【図６】従来の音声導通試験装置における動作を示すフロー図
【符号の説明】
【００６４】
１０１  基地局シミュレータ
１０２  携帯電話
１０５  音声出力装置
１０６  音声識別装置
【図１】
2007013902.tif 000003
【図２】
2007013902.tif 000004
【図３】
2007013902.tif 000005
【図４】
2007013902.tif 000006
【図５】
2007013902.tif 000007
【図６】
2007013902.tif 000008